(57)【要約】【課題】  踏むとバリバリと音を立てるトタン板、およびじゃりじゃりと音を立てる砂利を家の回りなどに敷いて侵入者が来たことを感知することが出来るが、砂利は重くて運ぶのに手間もかかるし、アパートのベランダなどに敷くのは困難である。トタン板も大きくて運び入れたり撤去するのに手間もかかる。踏むとバリバリと警告音を発する防犯シートは、素材及び形状を工夫して、軽量かつコンパクト化してどこでも、誰でも設置、運搬しやすい防用シートを提供する。【解決手段】  厚さ１ｍｍ以下のアルミ板、スチール板、プラスチック板、ＰＥＴ板に図１のように凸凹を設けることにより踏むとバリバリと警告音を発生させ、軽量化とコンパクト化が可能になり、設置、運搬性を高める。さらに家人が足を置くための足置台６、容易に移動しないための重石を置くための凹３を設け、踏むとバリバリと警告音を発する防犯シートと踏むとバリバリと警告音を発する防犯シート同士を連結するため端に連結部４を設ける。【選択図】    図１
2005251140.tif 000002
【特許請求の範囲】
【請求項１】
深さ１ｃｍ以上の図１で示す１の凸、図１で示す２の凹を設けることにより踏むとバリバリと警告音を発する防犯シート
【請求項２】
素材厚さ１ｍｍ以下のアルミ板、スチール板、プラスチック板、ＰＥＴ板からなる防犯用シート。
【請求項３】
踏むとバリバリと警告音を発する防犯シートの端に、踏むとバリバリと警告音を発する防犯シートと、踏むとバリバリと警告音を発する防犯シートとうしを連結するために図１の３及び４で示された連結部分を有する防犯用シート
【請求項４】
踏むとバリバリと警告音を発する防犯シートが風及び人的効力により容易に動くことがないよう固定するために重石をのせる箇所として、図１の３、及び図２の示すＴ字型連結棒６を差し込むための溝を設けた足置台５及び、足置台５と踏むとバリバリと警告音を発する防犯シートとを接続するためのＴ字型連結棒６を着脱することもできる防犯用シート。
【請求項５】
図２の５で示した足置台を設けた防犯用シート
【請求項６】
踏むとバリバリと警告音を発する防犯用シートの表面に砂利、レンガ板、タイル、人工芝シート、等を設置し、付着させ及び組みこませた防犯用シート
【請求項７】
踏むとバリバリと警告音を発する防犯シートの素材の表面に砂利、レンガ、タイル、人工芝、植物等のデザインをプリントされた防犯用シート。
【発明の詳細な説明】
【発明の詳細な説明】
【発明の属する技能分野】
【０００１】本発明は踏むとバリバリと警告音を発する防犯シートに関する
【背景技術】
【０００２】既成従来品は存在しない。ただし、砂利、トタン板などを防犯目的のために家の周囲に敷いて外来者がそこを踏むとシャリシャリとかバリバリなどと音がするので存在を察知するという使用法で今でも使用されている。古くは大阪の二条城の「鴬張りの廊下」は有名である。
【発明が解決しようとする課題】
【０００３】しかしながら砂利は重く、トタンはサイズが大きくさびやすく見栄えも悪く設置に手間がかかり、搬入、搬出も困難である。不用になったときの廃棄にも手間がかかる。
【課題を解決するための手段】
【０００４】本発明は、素材と形状を工夫することにより軽量化，コンパクト化され。搬入、搬出を容易にしたものである。軽く、コンパクトサイズなので、防犯を必要としている老人、女性なとが自分で容易に搬入し家の防犯を必要としている場所に設置できるものである。
【実施例】
【０００５】  本発明は図１の断面図に示されるように厚さ１ｍｍ以下のアルミ板、スチール板、プラスチック板、ＰＥＴ板を図１の１で示す凸の部分と図１の２で示す凹の部分に形状したものである。【０００６】  本発明の踏むとバリバリと警告音を発する防犯シートは、軽いため風や人為的に簡単に移動が容易にできないように連結部凹３を設け、踏むとバリバリと警告音を発する防犯シートの連結部凹３と踏むとバリバリと警告音を発する防犯シートの連結部凹３とを重ねて連結させたあと連結部凹３の凹の部分に重石を載せて地面に固定させる。連結部凹３と図１の凸１、４、２の凹の面には排水用及び図２の６で示されたＴ字型押え棒を差し込むための切込みを入れる。【０００７】  さらに図１の５で示すように、家人が防犯シートの上を通るときの足置台を設ける。この足置台は適宜他の凸の部分に移動可能にし足置台の存在を外から察知されにくくする。足置台は木材、レンガ、プラスチックで形成されていて中央に図２の７の凹を設けて、図２の６で示すＴ字型押え棒を差し込むことにより足置台を踏むとバリバリと警告音を発する防犯シートと連結できるので重石の役割をも同時に兼ねることができる。【０００８】  本発明品は図４、に示すように踏むとバリバリと警告音を発する防犯シートの表面上部に人工芝シート、砂利を設置、接着させることによって人工芝付き、砂利付き踏むとバリバリと警告音を発する防犯用シートとして使用できる。【０００９】  本発明品は図５に示すように、踏むとバリバリと警告音を発する防犯シートの表面上部に植物、砂利、レンガ等の様々なデザインを印刷及び造型したものとして使用できる。【００１０】  本発明品の構造は凸凹を基本形状とするが、図８が示すように波状のもの、図６が示すようにＷ状、及びＭ状のもの、図７が示すように袋状、及び筒状のものであっても良い，なお袋状の場合空気の出入り口を設けるならば，バリバリ音と共にピーという笛の音と共にさらに効果を期待できる。
【発明の効果】
【００１１】  本発明品は素材が１ｍｍ以下の薄い、アルミ板、スチール板、プラスチック板、ＰＥＴ板に凸凹をつけて形成しているので、軽くコンパクトなので老人や女性にも簡単に設置できる。さらに取りはずしも砂利、トタン板等に比べて簡単であり、引越しや新たに敷き直す時などまるめて通常のゴミとして処理することができる。踏むとバリバリと警告音を発する防犯シートと踏むとバリバリと警告音を発する防犯シートを設置場所の大きさに合わせて自由に連結できる。大きくなくコンパクトなので踏むとバリバリと警告音を発する防犯シートどうしを複数枚上下に重ねて持ち運ぶことができる。そのため量販店なとでの、販売面積も少なくてすむので販売にも効率的である。引越し業者、警備保障会社等でも、直接顧客に販売し。設置するサービスも提供できる。踏むとバリバリと警告音を発する防犯シートを防犯が必要なベランダ、風呂、トイレの出窓の下に設置することにより、侵入者や覗き犯が踏むとバリバリと警告音を発する防犯シートの上に足を踏み入れた時バリバリと警告音を発するので侵入者が近くにいることを家人が察知でき、さらに侵入者に精神的なストレスを加えることができる。ストーカー対策に有効である。又、宝石店など夜間人がいなくなる店内に設置しても有効である。又、玄関の前に敷いて上から玄関マットを置くならピッキング等の犯罪防止にも有効である。
【図面の簡単な説明】
【図１】  本発明に係わる、踏むとバリバリと警告音を発する防犯シートのＡ−Ａの断面図
【図２】  本発明に係わる、踏むとバリバリと警告音を発する防犯シートの足置台のＡ−Ａにおける断面図。
【図３】  本発明に係わる、踏むとバリバリと警告音を発する防犯シートの斜面図。
【図４】  本発明に係わる、踏むとバリバリと警告音を発する防犯シートの上部表面に人工芝シートを設置した時の、踏むとバリバリと警告音を発する防犯シートの断面図
【図５】  本発明に係わる、踏むとバリバリと警告音を発する防犯シートの素材に砂利の模様をプリントした場合の踏むとバリバリと警告音を発する防犯シートの斜面図。
【図６】  本発明に係わる、踏むとバリバリと警告音を発する防犯シートの、山形凸凹の形状の踏むとバリバリと警告音を発する防犯シートの断面図。
【図７】  本発明に係わる、踏むとバリバリと警告音を発する防犯シートの、袋状、及び筒状凸凹の踏むとバリバリと警告音を発する防犯シートの断面図。
【図８】  本発明に係わる、踏むとバリバリと警告音を発する防犯シートの、波状凸凹の踏むとバリバリと警告音を発する防犯シートの断面図。
【図９】  本発明に係わる、踏むとバリバリと警告音を発する防犯シートの、ｍ状凸凹の踏むとバリバリと警告音を発する防犯シートの断面図。
【符号の説明】
１、  踏むとバリバリと警告音を発する防犯シートの上部凸部分
２、  踏むとバリバリと警告音を発する防犯シートの底部凹部分
３、  ジョイント凹部分及び重石設置部
４、  ジョイント凸部分
５、  足置台
６、  Ｔ字型連結棒
７、  人工芝シート
８    砂利模様をプリントした、踏むとバリバリと警告音を発する防犯シートの表面。
【図１】
2005251140.tif 000003
【図２】
2005251140.tif 000004
【図３】
2005251140.tif 000005
【図４】
2005251140.tif 000006
【図５】
2005251140.tif 000007
【図６】
2005251140.tif 000008
【図７】
2005251140.tif 000009
【図８】
2005251140.tif 000010
【図９】
2005251140.tif 000011